(57)【要約】【課題】設置面積が小さく、蓋開放時の全高を抑えた炊飯器を提供する。【解決手段】フランジ部２ａを有し炊飯器本体１に着脱自在に収納される鍋２と、炊飯器本体１の後方かつ炊飯器本体１の上面より下方に設けた上枠ヒンジ部３ｅと、上枠ヒンジ部３ｅに設けたヒンジ軸１８に回動自在に軸支され炊飯器本体１の上面を開閉自在に覆う蓋１９を有し、ヒンジ軸１８の軸中心の位置を、フランジ部２ａの外周より後方で、かつ軸中心から炊飯器本体１の上面までの距離をＡ、軸中心から炊飯器本体１の背面までの距離をＢとしたとき、ＡとＢが同一もしくはＡがＢより大きくなるように設定したもので、コンパクトな設置面積で、簡単な構成で蓋１９開放時の全高を抑えつつ、開放初期の回動もスムーズに行わせることができ、しかも蓋１９が全開できるので、鍋２の取出しが容易で、メンテナンスも容易である。【選択図】図２
2006094925.tif 000002
【特許請求の範囲】
【請求項１】
フランジ部を有し本体に着脱自在に収納される鍋と、前記本体の後方かつ前記本体の上面より下方に設けたヒンジ部と、前記ヒンジ部に設けたヒンジ軸に回動自在に軸支され前記本体の上面を開閉自在に覆う蓋を有し、前記ヒンジ軸の軸中心の位置を、前記フランジ部の外周より後方で、かつ軸中心から前記本体の上面までの距離をＡ、前記軸中心から前記本体の背面までの距離をＢとしたとき、ＡとＢが同一もしくはＡがＢより大きくなるように設定した炊飯器。
【請求項２】
蓋内に配した電装部品と本体内に設けた電装部品とを電気的に接続するヒンジケーブルを、ヒンジ軸近傍において前記ヒンジ軸と略平行に配線した請求項１に記載の炊飯器。
【請求項３】
ヒンジ部を左右２ヶ所に分割して設けた請求項１又は２に記載の炊飯器。
【請求項４】
本体の上面をフラットに形成し、鍋のフランジ部の下方に鍋リングを設け、前記鍋を前記本体に装着した時に、前記鍋リングが前記本体の上面と当接するようにした請求項１〜３のいずれか１項に記載の炊飯器。
【請求項５】
本体の左右に設けたハンドル軸穴に回動自在に軸支されたハンドルを設け、前記ハンドルを前記本体の後方に回動させた時に、全開した蓋より後方に突出しないようにした請求項１〜４のいずれか１項に記載の炊飯器。
【発明の詳細な説明】
【技術分野】
【０００１】
本発明は、一般家庭、あるいは業務用に使用する炊飯器に関するものである。
【背景技術】
【０００２】
従来の、この種の炊飯器について、図１４を用いて説明する。
【０００３】
炊飯器本体５１は、内鍋５２を装着自在に収納し、内鍋５２の上方開口部は、蓋体５３で開閉自在に覆われている。蓋体５３の後端は、第１支軸５４を回動中心にアーム５５の上端に回動自在に取り付けられ、アーム５５の下端は、炊飯器本体５１の両側面に設けられ、前記第１支軸５４より下方に位置する第２支軸５６に回動自在に取り付けられている。
【０００４】
上記構成により、蓋体５３は、開放初期には、炊飯器本体５１の後方上部に位置する第１支軸５４を回動中心として回動し、開放途中で、前記第１支軸５４よりも下方に設けた第２支軸５５に回動中心を移動させて、蓋体５３を炊飯器本体５１の後方に回動させることができ、蓋体５３開放時の全高を抑えつつ、開放初期の回動もスムーズに行わせることができ、しかも蓋体５３を全開させ、内鍋５２の炊飯器本体５１からの取出しや、内鍋５２からのご飯の盛り付けを容易にすることができる（例えば、特許文献１参照）。
【特許文献１】特開２００２−９５５８３号公報
【発明の開示】
【発明が解決しようとする課題】
【０００５】
しかしながら、このような従来の炊飯器の構成においては、炊飯器本体５１の両側面にアーム５５を備える必要があるので、炊飯器本体５１の横幅寸法が大きくなるのに加えて、炊飯器本体５１は、主に台所回りに設置されるが、アーム５５が大きく可動するのでアーム５５の可動スペースも必要となり、炊飯器の設置面積が大きくなるという課題があった。
【０００６】
また、第１支軸５４、第２支軸５６、アーム５５、各種ストッパー等、蓋体５３の開閉のために多くの部品を必要とし、複雑な構成となるので長期間の使用による耐久信頼性に課題があり、そして組立加工コストも高いという課題があった。
【０００７】
本発明は、上記従来の課題を解決するもので、設置面積が小さく、かつ簡易な構成で蓋開放時の全高を抑えつつ、開放初期の回動もスムーズで、しかも蓋が全開できる炊飯器を提供することを目的とするものである。
【課題を解決するための手段】
【０００８】
前記従来の課題を解決するために、本発明の炊飯器は、フランジ部を有し本体に着脱自在に収納される鍋と、前記本体の後方かつ前記本体の上面より下方に設けたヒンジ部と、前記ヒンジ部に設けたヒンジ軸に回動自在に軸支され前記本体の上面を開閉自在に覆う蓋を有し、前記ヒンジ軸の軸中心の位置を、前記フランジ部の外周より後方で、かつ軸中心から前記本体の上面までの距離をＡ、前記軸中心から前記本体の背面までの距離をＢとしたとき、ＡとＢが同一もしくはＡがＢより大きくなるように設定したもので、設置面積が小さく、かつ簡易な構成で蓋開放時の全高を抑えつつ、開放初期の回動もスムーズで、しかも蓋全開時に本体上面から蓋が移動するので鍋が取出し易くなるとともに本体上面のお手入れ性も良くなる。
【発明の効果】
【０００９】
本発明の炊飯器は、設置面積が小さく、かつ簡易な構成で蓋開放時の全高を抑えつつ、開放初期の回動もスムーズで、しかも蓋全開時に本体上面から蓋が移動するので鍋が取出し易くなるとともに本体上面のお手入れ性も良くなる。
【発明を実施するための最良の形態】
【００１０】
第１の発明は、フランジ部を有し本体に着脱自在に収納される鍋と、前記本体の後方かつ前記本体の上面より下方に設けたヒンジ部と、前記ヒンジ部に設けたヒンジ軸に回動自在に軸支され前記本体の上面を開閉自在に覆う蓋を有し、前記ヒンジ軸の軸中心の位置を、前記フランジ部の外周より後方で、かつ軸中心から前記本体の上面までの距離をＡ、前記軸中心から前記本体の背面までの距離をＢとしたとき、ＡとＢが同一もしくはＡがＢより大きくなるように設定したもので、設置面積が小さく、かつ簡易な構成で蓋開放時の全高を抑えつつ、開放初期の回動もスムーズで、しかも蓋全開時に本体上面から蓋が移動するので鍋が取出し易くなるとともに本体上面のお手入れ性も良くなる。
【００１１】
第２の発明は、特に、第１の発明の蓋内に配した電装部品と本体内に設けた電装部品とを電気的に接続するヒンジケーブルを、ヒンジ軸近傍において前記ヒンジ軸と略平行に配線したもので、ヒンジ部でヒンジケーブルを外部に露出させることなくヒンジ部を構成でき、ヒンジケーブルに水や米粒が付着するのを防止できるのに加え、ヒンジ部より本体内部へのゴミやホコリや水の浸入も防止でき、またヒンジケーブルが断線しにくくすることができる。
【００１２】
第３の発明は、特に、第１又は第２の発明のヒンジ部を左右２ヶ所に分割して設けたもので、本体の角部にヒンジ部が位置するので、本体の奥行き寸法を小さくすることができ、さらにコンパクトな設置面積で済むようにできる。
【００１３】
第４の発明は、特に、第１〜３のいずれか１つの発明の本体の上面をフラットに形成し、鍋のフランジ部の下方に鍋リングを設け、前記鍋を前記本体に装着した時に、前記鍋リングが前記本体の上面と当接するようにしたもので、鍋取出し時に本体上面が段差のないフラットな平面となり、露や米粒といった本体上面に付着した汚れをふきんなどで拭きやすくでき、お手入れ性が良くなる。
【００１４】
第５の発明は、特に、第１〜４のいずれか１つの発明の本体の左右に設けたハンドル軸穴に回動自在に軸支されたハンドルを設け、前記ハンドルを前記本体の後方に回動させた時に、全開した蓋より後方に突出しないようにしたもので、炊飯器の設置面積を増やすことなくハンドルを設けることができる。
【００１５】
以下、本発明に実施の形態について、図面を参照しながら説明する。なお、この実施の形態により、本発明が限定されるものではない。
【００１６】
（実施の形態１）
本発明の第１の実施の形態における炊飯器について、図１〜図７を用いて説明する。
【００１７】
まず本体の構成であるが、図１において、炊飯器本体１は、本体上面部３ａを構成し鍋収納部３ｂを有すると共に樹脂で成形された上枠３と、本体側面部から本体下面を構成し樹脂で成形されたボディ４から構成されている。金属製の鍋２は有底筒状で外周にフランジ部２ａを有しており、炊飯器本体１に設けた鍋収納部３ｂに着脱自在に収納される。鍋２を鍋収納部３ｂに収納した時、鍋２のフランジ部２ａが上枠３の鍋懸架部３ｃ上に懸架された状態で収納される。鍋収納部３ｂの下には保護枠下８が設けられ、保護枠下８には加熱コイル９が一体に成形されている。保護枠下８の中央底部には、底センサー１０が取り付けられており、底センサー１０は、鍋２を収納した状態で鍋底２ｃと当接するようになっている。
【００１８】
本体後方部の上枠３の下側には、保護枠下８から延伸された加熱基板取付け部８ａが設けられ、加熱基板取付け部８ａには底センサー１０からの信号により加熱コイル９および蓋コイル２４への通電を制御する加熱基板１３と、加熱基板１３を冷却するファンモーター１４がある。
【００１９】
図２〜図５に示すように、上枠３の後方かつ上枠３の上面より下部を形成する部分には、凹状の上枠ヒンジ部３ｅがあり、上枠ヒンジ部３ｅの左右に設けた上枠軸受け部３ｆにヒンジ軸１８が取り付けられている。ここで、ヒンジ軸１８の軸中心は前記鍋２のフランジ部２ａの外周より後方であって、かつ軸中心から、炊飯器本体１の上面までの距離をＡ、軸中心から炊飯器本体１の背面までの距離をＢとした時、ＡとＢが同一もしくはＡがＢより大きくなるような位置に設定されている。
【００２０】
蓋１９は、炊飯器本体１の上面より下方に延設されかつ凹状の上枠ヒンジ部３ｅ沿って凸上に構成された蓋軸受け部１９ｅを有しており、蓋軸受け部１９ｅにおいてヒンジ軸１８に回動自在に軸支され、炊飯器本体１の上面を開閉自在に覆っている。
【００２１】
上枠軸受け部３ｆからヒンジ軸１８に対して長手方向蓋１９側の上枠３には、切欠き３ｇがある。一方蓋１９側には、蓋軸受け部１９ｅのヒンジ軸１８に対して長手方向の上枠３側に切欠き３ｇに内包された筒部１９ｆがある。筒部１９ｆの内側にはヒンジ軸１８が貫通するヒンジバネ２１があり、ヒンジバネ２１の一端は、蓋１９に設けた蓋ストッパー１９ｇに係合し、他端は上枠ヒンジ部３ｅに設けた上枠ストッパー３ｈに係合し、蓋１９を開く方向に付勢している。そして、炊飯器本体１の背面は、ヒンジカバー２５によって覆われており、外部からヒンジバネ２１が見えないようになっている。
【００２２】
蓋１９の先端には、蓋係合部１９ａがあり、蓋１９の閉成時に、上枠３に取り付けられたフック２０に係合し、炊飯中に蓋１９が開くのを防止している。フック２０を押すと、それと蓋係合部１９ａとの係合が外れ、ヒンジバネ２１の付勢力で蓋１９が開く。
【００２３】
蓋１９の下面には、蓋１９の閉成時に、鍋２のフランジ部２ａと当接する鍋パッキン２２を放熱板支え２７を介して挟持した金属製の放熱板２３が取り付けられている。蓋１９には蓋コイル２４が設けられている。放熱板２３には、炊飯中に発生する蒸気が通過する放熱板蒸気口２３ａがあり、その上部には、蓋１９に設けた蓋蒸気筒１９ｃと蓋蒸気口１９ｄがある。蓋蒸気筒１９ｃと放熱板２３の間には、蒸気筒パッキン３０が設けられている。
【００２４】
そして蓋１９の天面には、蓋凹部１９ｅが設けられており、蓋凹部１９ｅには操作基板１５がある。蓋凹部１９ｅの操作基板１５の上面にあたる部分には、操作パネル１６が設けられている。操作パネル１６には炊飯や切など操作を行う操作部１６ａが設けられており、操作基板１５の操作部１６ａ下部にはスイッチ１５ａが設けられている。また操作パネル１６には透明部１６ｂが設けてあり、操作基板１５の透明部１６ｂ下部には表示部１５ｂが設けてある。
【００２５】
蓋１９内の電装部品の１つである操作基板１５は、上枠ヒンジ部３ｅを通過し、同じく電装部品の１つである加熱基板１３とヒンジケーブル２６で電気的に接続されている。ヒンジケーブル２６はヒンジ軸１８近傍において、蓋１９の筒部１９ｆの内部を通過しヒンジ軸１８と略平行に配線処理され炊飯器本体１内の加熱基板１３へと配線されている。
【００２６】
次に、上記構成による炊飯器の動作について説明する。
【００２７】
米と、その量に対応する水を入れた鍋２を鍋収納部３ｂに装着し、蓋１９を閉じる。操作パネル１６の操作部１６ａには、炊飯スイッチ（図示せず）があり、炊飯スイッチを押すと操作基板１５のスイッチ１５ａが連動して押され、炊飯動作開始の信号がヒンジケーブル２６を介してマイコン（図示せず）へと送られ、炊飯動作が開始する。マイコンは、あらかじめプログラムされた炊飯動作を実行し、底センサー１０から送られる鍋２の温度を入力として、加熱コイル９と蓋コイル２４を最適に通電制御し炊飯を行う。
【００２８】
加熱コイル９に通電すると、加熱コイル９は、鍋２を誘導加熱する。誘導加熱方式は熱効率が良く、熱応答性もよいのでおいしくご飯を炊くことができる。蓋コイル２４に通電すると蓋コイル２４は、金属製の放熱板２３を誘導加熱し鍋２を上面から暖める。また炊飯で発生した蒸気が露となって放熱板２３へ付着するのを防止する。
【００２９】
炊飯中に鍋２から発生する蒸気は、放熱板２３の放熱板蒸気口２３ａを通過し、蓋蒸気筒１９ｃおよび蓋蒸気口１９ｄを通過して外部へと放出される。ここで、放熱板２３と鍋２のフランジ部２ａは鍋パッキン２２でシールされており、また放熱板２３と蓋蒸気筒１９ｃの間は蒸気筒パッキン３０でシールされているので、所定の場所以外から蒸気が外部に漏れることのない構造となっている。
【００３０】
炊飯中の動作状態は、操作基板１５の表示部１５ｂに表示され、操作パネル１６の透明部１６ｂを透視して目視できる。蓋１９の開閉についての動作を説明する。蓋１９はヒンジ軸１８を軸中心に回動し、ヒンジバネ２１の力で上方へ開放する付勢力が常時働いているが、フック２０と蓋係合部１９ａが係合することで、蓋１９は閉じた状態で維持される。フック２０のフックボタン部２０ａを押すと、フック２０と蓋係合部１９ａの係合が外れ、蓋１９が、ヒンジバネ２１の付勢力で開く。
【００３１】
炊飯器は、キッチンキャビネット等に設置することが多いが、蓋１９を開いた時の製品高さが高いと、蓋１９を開けた時に、蓋１９の天面がキャビネット天面に当接し蓋１９が完全に開ききらず、ご飯をよそいにくかったり鍋２が取出しにくかったりする。そのため、蓋１９を開いた時の製品高さは低い方がよい。
【００３２】
図６において、蓋１９を開いた時の製品高さは、床面からヒンジ軸１８の軸中心までの距離をＣ、ヒンジ軸１８の軸中心から蓋１９の先端までの距離をＤとした時、蓋１９を開いた時の製品高さはＣ＋Ｄとなるが、従来の炊飯器では、ヒンジ軸１８の軸中心が本体上面よりも上部にあるのに対して、本実施の形態では、図６に示すように、ヒンジ軸１８の軸中心が、本体上面よりも下部にあるので、床面からヒンジ軸１８の軸中心までの距離Ｃが、従来に比べて短くなり、その結果、蓋１９を開いた時の製品高さＣ＋Ｄを低くすることができる。
【００３３】
蓋１９の回動の軌跡は、鍋パッキン２２が、蓋１９を閉じた時に、フランジ部２ａの全周に密着するように設定しないと、炊飯中の蒸気が鍋パッキン２２とフランジ部２ａとの隙間から漏れ出してしまう。そのためには、蓋１９を閉じる時に鍋パッキン２２がフランジ部２ａに覆い被さるようにしてフランジ部２ａの全周に密着する動作をする必要がある。本実施の形態では、図７に示すように、ヒンジ軸１８の軸中心１８ａは、鍋２のフランジ２ａの外周より後方に設定してある。こうすることで、鍋パッキン２２は、フランジ部２ａに対して蓋１９を閉じた時、確実に炊飯器本体１の後部上方よりフランジ部２ａに覆い被さるように回動する軌跡となるので、鍋パッキン２２と鍋２のフランジ部２ａが確実に密着する事ができる。
【００３４】
そして、本実施の形態では、ヒンジ軸１８の軸中心１８ａから本体上面までの距離をＡ、軸中心１８ａから本体背面までの距離をＢとしたとき、ＡとＢが同一もしくはＡがＢより大きくなるような位置に軸中心１８ａを設定することで、蓋１９を開いた時に、蓋１９はＡ−Ｂの寸法分本体背面よりもさらに後ろへ移動し、図６のように、蓋１９を開いた時に、炊飯器本体１の上面から蓋１９が完全に移動する。炊飯器本体１の上面は、水滴やご飯粒などが付着し汚れ易いので、ふきんなどで拭き取ったりする必要が有るが、本実施の形態における炊飯器では、炊飯器本体１の上面は全面に渡って露出し、ふきんなどで拭き取り易くなるので、炊飯器本体１の上面のお手入れ性が向上する。
【００３５】
上枠ヒンジ部３ｅにおいては、図５のように筒部１９ｆが切欠き３ｇに内包されているので、ヒンジケーブル２６やヒンジバネ２１、ヒンジ軸１８は外観からは見えない構成となっており、すっきりとした外観となる。
【００３６】
また本体上面部３ａから連なる上枠ヒンジ部３ｅにも穴や隙間などはないので炊飯器本体１内部にゴミやホコリや水が浸入することがない。またヒンジケーブル２６はヒンジ軸１８と略平行に配線され、蓋１９開閉時、ヒンジケーブル２６はねじり方向に屈曲されるので断線もしにくい。
【００３７】
なお、上記実施の形態では、加熱手段として加熱コイル９を使用したが、汎用のヒータを用いても同様の効果を得ることができるのはいうまでもない。また放熱板２３や鍋２の側面を加熱する手段は、誘導加熱方式であっても同様の効果を得ることができる。
【００３８】
（実施の形態２）
図８は、本発明の第２の実施の形態における炊飯器の後方分解斜視図、図９は、同炊飯器の要部側面図、図１０は、同炊飯器の後方斜視図である。なお、上記第１の実施の形態と同一部分については、同一符号を付してその説明を省略する。
【００３９】
図８〜１０に示すように、炊飯器本体３１は、本体上面部３３ａを構成し鍋収納部３３ｂを有すると共に樹脂で成形された上枠３３と、本体側面部から本体下面を構成し樹脂で成形されたボディ３４からなる。金属製の鍋３２は有底筒状で外周にフランジ部３２ａを有しており、鍋収納部３３ｂに着脱自在に収納される。
【００４０】
上枠３３の後部でかつ上枠３３の上面より下部を形成する部分であって、左右両側には凹状の上枠ヒンジ部３３ｅが２ヶ所形成されており、左右の上枠ヒンジ部３３ｅの間には、上枠軸受け部３３ｆがあって、ヒンジ軸３８が取り付けられている。ここで、図９に示すように、ヒンジ軸３８の軸中心は、前記鍋３２のフランジ部３２ａの外周より後方であって、かつヒンジ軸３８の中心から本体上面までの距離をＡ、軸中心から本体背面までの距離をＢとしたときＡとＢが同一もしくはＡがＢより大きくなるような位置にある。
【００４１】
蓋３９は、本体上面より下方に延設され、凹状の２ヶ所の上枠ヒンジ部３３ｅ沿って凸上に構成された蓋軸受け部３９ｅを左右２ヶ所有しており、蓋軸受け部３９ｅにおいてヒンジ軸３８に回動自在に軸支され、本体上面を開閉自在に覆っている。上枠軸受け部３３ｆからヒンジ軸３８に対して長手方向の蓋３９側には切欠き３３ｇがある。
【００４２】
一方蓋３９側には、蓋軸受け部３９ｅのヒンジ軸３８に対して長手方向の上枠３３側に切欠き３３ｇに内包された筒部３９ｆがある。筒部３９ｆの内側には、ヒンジ軸３８が貫通したヒンジバネ３５があり、ヒンジバネ３５の一端は、蓋３９に設けた蓋ストッパー３９ｇに係合し、他端は上枠ヒンジ部３３ｅに設けた上枠ストッパー３３ｈに係合し、蓋３９が開く時の付勢力を発生する。そして、本体背面はヒンジカバー３６によって覆われたおり、外部からヒンジバネ３５は見えないようになっている。その他の構成については実施の形態１と同様である。
【００４３】
本実施の形態によれば、図８に示すように上枠ヒンジ部３３ｅは、炊飯器本体３１後方の左右両側に分割されているので、鍋３２より後方に上枠ヒンジ部３３ｅを構成するのに比べて、有底筒状の鍋３２に対する炊飯器本体３１の後方角部の空間を上枠ヒンジ部３３ｅとして有効活用でき、結果炊飯器本体１の奥行き寸法を短くすることができる。したがって、炊飯器本体３１の設置面積が少なくて済むようになる。
【００４４】
（実施の形態３）
図１１は、本発明の第３の実施の形態における炊飯器の断面図、図１２は、同炊飯器の側面図、図１３は、同炊飯器の側面図である。なお、上記実施の形態と同一部分については同一符号を付してその説明を省略する。
【００４５】
図１１に示すように、炊飯器本体４１は、水平な平面状に形成された本体上面部４３ａを構成し、鍋収納部４３ｂを有すると共に樹脂で成形された上枠４３と、本体側面部から本体下面を構成し樹脂で成形されたボディ４４から構成されている。金属製の鍋４２は有底筒状で外周にフランジ部４２ａを有しており、フランジ部４２ａの下部には鍋リング４５が取付けネジ４５ａで取り付けられている。
【００４６】
鍋４２は、鍋収納部４３ｂに着脱自在に収納され、鍋収納部４３ｂに収納した時、鍋リング４５が本体上面部４３ａに当接して、鍋４２は本体上面部４３ａに懸架された状態で収納される。そして本体上面部４３ａは、開閉自在でヒンジ軸４７に軸支された蓋４９で上面を覆われている。
【００４７】
また、炊飯器本体４１の左右に設けられたハンドル軸穴４８ａに回動自在に軸支されたハンドル４８を有しており、図１２に示すように、ハンドル４８は、炊飯器本体４１の後方に回動させた時、蓋４９が開いた場合に蓋４９の下方かつ蓋４９より後方に突出しない長さに設定されている。その他の構成は、上記第１の実施の形態と同一である。
【００４８】
炊飯器本体４１の上面は、水滴が滴下したり米粒などで汚れるので、ふきんで拭くといった手入れが必要になるが、本実施の形態によると、図１３に示すように鍋４２を取り外した時、本体上面部４３ａは水平でかつフラットな形状となるので、拭き取り易く、お手入れ性がよい。
【００４９】
また、ハンドル４８は、炊飯器本体４１を持ち運びするのに便利であるが、回動するハンドル４８を設けた場合に、炊飯器本体４１の設置寸法がハンドル４８を追加したため大きくなることがある。しかしながら、本実施の形態によれば、ハンドル４８が炊飯器本体４１の後方に回転し、蓋４９が開いた場合に、蓋４９の下方かつ蓋４９より後方に突出しない寸法に設定されているので、炊飯器の設置性を損なうことがない。
【産業上の利用可能性】
【００５０】
以上のように、本発明にかかる炊飯器は、コンパクトな設置面積で、かつ簡易な構成で蓋開放時の全高を抑えつつ、開放初期の回動もスムーズで、しかも蓋全開時に本体上面全体から蓋が移動するので鍋が取出し易くなるとともに本体上面のお手入れ性も良くなるもので、回動式の蓋を有する各種調理機器、器具に広く適用できる。
【図面の簡単な説明】
【００５１】
【図１】本発明の実施の形態１における炊飯器の断面図
【図２】同炊飯器の要部断面図
【図３】同炊飯器の後部分解斜視図
【図４】同炊飯器の後方斜視図
【図５】同炊飯器の後方要部斜視図
【図６】同炊飯器の側面図
【図７】同炊飯器の蓋を開放した状態の要部断面図
【図８】本発明の実施の形態２における炊飯器の後方分解斜視図
【図９】同炊飯器の要部側面図
【図１０】同炊飯器の本体後方斜視図
【図１１】本発明の実施の形態３における炊飯器の断面図
【図１２】同炊飯器の蓋を開放した状態を示す側面図
【図１３】同炊飯器の鍋を取り外した状態を示す側面図
【図１４】従来の炊飯器の側面図
【符号の説明】
【００５２】
１、３１、４１  炊飯器本体（本体）
２  鍋
２ａ  フランジ部
３ａ  本体上面部
３ｅ  上枠ヒンジ部（ヒンジ部）
４  ボディ
１３  加熱基板（電装部品）
１５  操作基板（電装部品）
１８  ヒンジ軸
１９  蓋
２６  ヒンジケーブル
４５  鍋リング
４９  ハンドル
４９ａ  ハンドル軸穴
【図１】
2006094925.tif 000003
【図２】
2006094925.tif 000004
【図３】
2006094925.tif 000005
【図４】
2006094925.tif 000006
【図５】
2006094925.tif 000007
【図６】
2006094925.tif 000008
【図７】
2006094925.tif 000009
【図８】
2006094925.tif 000010
【図９】
2006094925.tif 000011
【図１０】
2006094925.tif 000012
【図１１】
2006094925.tif 000013
【図１２】
2006094925.tif 000014
【図１３】
2006094925.tif 000015
【図１４】
2006094925.tif 000016